(57)【要約】【課題】  待機電力が少ないＩＥＥＥ１３９４のインターフェースを備えた電子機器の起動システムおよびその電子機器を提供する。【解決手段】  ＩＥＥＥ１３９４システム機器４０の待機中は、サブ電源４１１から電力が供給され、端末側起動処理チップ４７にのみ電力は供給される。一方、起動するときは、ナビゲーション装置１から起動指令信号が出力され、端末側起動処理チップ４７に起動指令信号が受信される。そして、電力が供給される電源がサブ電源４１１からメイン電源４１０に切り換り、ＩＥＥＥ１３９４システム機器４０の動作を制御する制御回路４１などに電力が供給され、ＩＥＥＥ１３９４システム機器４０は起動する。【選択図】図４
2006201852.tif 000002
【特許請求の範囲】
【請求項１】
ＩＥＥＥ１３９４のインターフェースを通じて他の電子機器の起動を指令する起動指令信号を出力する第１の電子機器と、
ＩＥＥＥ１３９４のインターフェース、起動処理を行う起動装置、動作を制御する制御装置および電力供給を制御する電源制御装置を備えた第２の電子機器とを有し、
前記電源制御装置は、前記第２の電子機器の停止中は前記起動装置にのみ電力を供給し、前記第２の電子機器の停止中に、前記第１の電子機器より前記起動指令信号が前記起動装置に入力されると、前記制御装置に電力を供給することを特徴とする電子機器の起動システム。
【請求項２】
請求項１に記載された電子機器の起動システムにおいて、
前記第１の電子機器はナビゲーション装置であることを特徴とする電子機器の起動システム。
【請求項３】
ＩＥＥＥ１３９４のインターフェースを備えた電子機器において、
前記電子機器の起動処理を行う起動装置と、
前記電子機器の動作を制御する制御装置と、
前記電子機器の電力供給を制御する電源制御装置とを備え、
前記電源制御装置は、前記電子機器の停止中は前記起動装置にのみ電力を供給し、前記電子機器の停止中に、前記ＩＥＥＥ１３９４のインターフェースを介して前記電子機器の起動を指令する起動指令信号が前記起動装置に入力されると、前記制御装置に電力を供給することを特徴とする電子機器。
【請求項４】
請求項３に記載された電子機器において、
前記電源制御装置が前記制御装置に電力を供給しているときは、前記起動装置と前記ＩＥＥＥ１３９４のインターフェースのＰＨＹデバイスとの接続が切断されることを特徴とする電子機器。
【請求項５】
請求項３または４に記載された電子機器において、
前記起動指令信号は差動信号であることを特徴とする電子機器。
【発明の詳細な説明】
【技術分野】
【０００１】
本発明は、ＩＥＥＥ１３９４のインターフェースを備えた電子機器の起動システムおよびその電子機器に関する。
【背景技術】
【０００２】
待機電力を完全になくすことができる周辺装置が知られている（特許文献１）。この周辺装置は、電源ラインを備えたインターフェースと電源駆動回路とを有し、インターフェースの電源ラインに電力を供給すると、電源駆動回路のトランジスタスイッチがオンすることにより電力供給部による電力供給が開始され、周辺装置が起動する。
【特許文献１】特開２００２−１０８５１８号公報
【発明の開示】
【発明が解決しようとする課題】
【０００３】
特許文献１に記載されている周辺装置では、インターフェースの電源ラインが不可欠である。このため、ＩＥＥＥ１３９４の４ピンの小型コネクタ、すなわち、電源ラインが省かれたＤＶ端子を有するコネクタによって接続される周辺装置には適用できないという問題点がある。
【課題を解決するための手段】
【０００４】
（１）請求項１の発明の電子機器の起動システムは、ＩＥＥＥ１３９４のインターフェースを通じて他の電子機器の起動を指令する起動指令信号を出力する第１の電子機器と、ＩＥＥＥ１３９４のインターフェース、起動処理を行う起動装置、動作を制御する制御装置および電力供給を制御する電源制御装置を備えた第２の電子機器とを有し、電源制御装置は、第２の電子機器の停止中は起動装置にのみ電力を供給し、第２の電子機器の停止中に、第１の電子機器より起動指令信号が起動装置に入力されると、制御装置に電力を供給することを特徴とする。
（２）請求項２の発明は、請求項１に記載された電子機器の起動システムにおいて、第１の電子機器はナビゲーション装置であることを特徴とする。
（３）請求項３の発明は、ＩＥＥＥ１３９４のインターフェースを備えた電子機器において、電子機器の起動処理を行う起動装置と、電子機器の動作を制御する制御装置と、電子機器の電力供給を制御する電源制御装置とを備え、電源制御装置は、電子機器の停止中は起動装置にのみ電力を供給し、電子機器の停止中に、ＩＥＥＥ１３９４のインターフェースを介して電子機器の起動を指令する起動指令信号が起動装置に入力されると、制御装置に電力を供給することを特徴とする。
（４）請求項４の発明は、請求項３に記載された電子機器において、電源制御装置が制御装置に電力を供給しているときは、起動装置とＩＥＥＥ１３９４のインターフェースのＰＨＹデバイスとの接続が切断されることを特徴とする。
（５）請求項５の発明は、請求項３または４に記載された電子機器において、起動指令信号は差動信号であることを特徴とする。
【発明の効果】
【０００５】
本発明によれば、ＩＥＥＥ１３９４のインターフェースを備えた電子機器の停止中は、起動処理用のチップにしか電力を供給されないので、待機電力を少なくすることができる。そして、ＩＥＥＥ１３９４ケーブルの信号線のみ使用してＩＥＥＥ１３９４のインターフェースを備えた電子機器を起動させるので、ＩＥＥＥ１３９４ケーブルが４ピンであっても６ピンであっても関係なくＩＥＥＥ１３９４のインターフェースを備えた電子機器を起動することができる。
【発明を実施するための最良の形態】
【０００６】
本発明の実施形態による電子機器の起動システムにおけるナビゲーション装置の構成を図１に示す。図１のナビゲーション装置１は、地図表示や経路誘導などのナビゲーション機能のほかにＩＥＥＥ１３９４のインターフェース１８を備えており、ＩＥＥＥ１３９４システム機器４０と接続することができる。ここで、ＩＥＥＥ１３９４システム機器４０は、ＩＥＥＥ１３９４のインターフェースを備えている音楽再生装置などの電子機器をいう。ナビゲーション装置１は、制御回路１１、ＲＯＭ１２、ＲＡＭ１３、現在地検出装置１４、画像メモリ１５、表示モニタ１６、入力装置１７、ＩＥＥＥ１３９４インターフェース１８およびディスクドライブ１９を有している。ディスクドライブ１９には、地図データが記録されたＤＶＤ−ＲＯＭ１１０が装填される。地図データは、地図表示用データ、経路探索用データなどを含む。地図表示用データは、広域から詳細まで複数の縮尺の地図データを有し、乗員の要求にしたがって、表示地図の縮尺を変更することができる。なお、ＩＥＥＥ１３９４インターフェース１８は、ＬＩＮＫチップ１８１、ＰＨＹチップ１８２、起動側起動処理チップ１８３およびポート１８４を備えて構成されるが、詳細は後述する。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１０に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データからなり、それらはディスクドライブ１９によって読み込まれるＤＶＤ−ＲＯＭ１１０に記憶された地図データに基づいて、適宜生成される。ナビゲーション装置１は、このようにして生成された画像データを用いることによって地図表示など行うことができる。
【００１０】
表示モニタ１６は、地図データなどの各種情報に基づいて、自車位置付近の道路地図などの各種情報を画面表示としてナビゲーション装置１の乗員に提供する。入力装置１７は、車両の目的地などを乗員が設定するための入力スイッチを有し、これは操作パネルやリモコンなどによって実現される。乗員は、表示モニタ１６の表示画面の指示に従って入力装置１７を操作することにより、目的地を選択して目的地を設定する。
【００１１】
目的地が乗員により設定されると、ナビゲーション装置１は、ＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、乗員は地図上の探索ルートを画面上で認識することができる。また、ナビゲーション装置１は、探索ルートに従って車両が走行できるように、乗員に対して画面や音声などによる進行方向指示を行い、車両を誘導する。
【００１２】
ＩＥＥＥ１３９４インターフェース１８は、ＬＩＮＫチップ１８１と、ＰＨＹチップ１８２と、起動側起動処理チップ１８３と、ポート１８４とを備えている。ポート１８４は、ＩＥＥＥ１３９４ケーブル１４０を介してＩＥＥＥ１３９４システム機器４０とナビゲーション装置１とを接続する。ＩＥＥＥ１３９４は、ＴＰＡとＴＰＢとの２つのツイストペア線により通信を行う規格であり、それぞれの通信線に対応した接続部がポート１８４に設けられている。ＰＨＹチップ１８２は、ポート１８４を介してＩＥＥＥ１３９４ケーブル１４０から入力された信号をデコードしてＬＩＮＫチップ１８１に出力するとともに、ＬＩＮＫチップ１８１から入力した信号をエンコードしてポート１８４を介してＩＥＥＥ１３９４ケーブル１４０に出力する。ＬＩＮＫチップ１８１は、ＰＨＹチップ１８２から入力した信号を抽出して制御回路１１へ出力するとともに、制御回路１１から入力した信号をパケット化してＰＨＹチップ１８２へ出力する。起動側起動処理チップ１８３は、ＩＥＥＥ１３９４システム機器４０の起動指令信号を生成し、ポート１８４およびＩＥＥＥ１３９４ケーブル１４０を介してＩＥＥＥ１３９４システム機器４０へ起動指令信号を送信する。
【００１３】
ディスクドライブ１９は、装填されたＤＶＤ−ＲＯＭ１１０から、表示モニタ１６に地図を表示させるための地図データを読み出す。なお、ＤＶＤ−ＲＯＭ以外の他の記録メディア、たとえばＣＤ−ＲＯＭやハードディスクなどより地図データを読み出してもよい。
【００１４】
次に、図１のＩＥＥＥ１３９４インターフェース１８について、図２を参照して詳細に説明する。ポート１８４は、３つのポート１８４ａ〜１８４ｃで構成され、それぞれのポート１８４ａ〜１８４ｃは、ＴＰＡ＋、ＴＰＡ−、ＴＰＢ＋およびＴＰＢ−の４ピンから構成されている。各ポートの４つピンのうちのＴＰＡ＋およびＴＰＡ−、またはＴＰＢ＋およびＴＰＢ−は、それぞれライン２１ａ〜２１ｆによってＰＨＹチップ１８２および起動側起動処理チップ１８３と接続されている。なお、各ライン２１ａ〜２１ｆは、図２では１本のラインで示しているが、実際は、２１ａ、２１ｃおよび２１ｅはＴＰＡ＋、ＴＰＡ−の２つの信号線を有しており、２１ｂ、２１ｄおよび２１ｆはＴＰＢ＋、ＴＰＢ−の２つの信号線を有している。
【００１５】
起動側起動処理チップ１８３の詳細な構成を図３に示す。起動側起動処理チップ１８３は、起動側起動処理チップ制御部１８３１と、起動側切換えスイッチ１８３２ａ〜１８３２ｆを有するスイッチ群１８３２とから構成される。起動側起動処理チップ制御部１８３１は、起動側起動処理チップ１８３の動作を制御する。起動側切換えスイッチ１８３２ａ〜１８３２ｆは、ライン２１ａ〜２１ｆと起動側起動処理チップ制御部１８３１との間の接続状態を切り換えるスイッチである。
【００１６】
起動側切換えスイッチ１８３２ａ〜１８３２ｆの切換え動作を、起動側切換えスイッチ１８３２ｆを一例として説明する。起動側切換えスイッチ１８３２ｆは常開スイッチであり、破線側１８３３の位置に切り換えられており、起動側起動処理チップ制御部１８３１とライン２１ｆとは切断されている。しかし、起動側起動処理チップ１８３からポート１８４へ信号を出力する場合は、起動側切換えスイッチ１８３２ｆは実線１８３４の閉位置に切換られ、起動側起動処理チップ制御部１８３１とライン２１ｆとは接続される。他の起動側切換えスイッチ１８３２ａ〜１８３２ｅも同様に開閉する。
【００１７】
ＩＥＥＥ１３９４システム機器４０の構成を図４に示す。ＩＥＥＥ１３９４システム機器４０は、制御回路４１、ＲＯＭ４２、ＲＡＭ４３、ポート４４、ＰＨＹチップ４５、ＬＩＮＫチップ４６、端末側起動処理チップ４７および電源制御部４８を有している。ポート４４、ＰＨＹチップ４６および端末側起動処理チップ４７からなる部分を以下、フロントエンド部４９と呼ぶ。
【００１８】
制御回路４１は、マイクロプロセッサ及びその周辺回路からなり、ＲＡＭ４３を作業エリアとしてＲＯＭ４２に格納された制御プログラムを実行して、ＩＥＥＥ１３９４システム機器１の各種の動作の制御を行う。
【００１９】
ポート４４は、ＩＥＥＥ１３９４ケーブル１４０を介してＩＥＥＥ１３９４システム機器４０をナビゲーション装置１のポート１８４と接続する。ＰＨＹチップ４５は、ＩＥＥＥ１３９４ケーブル１４０とポート４４を介して、ナビゲーション装置１から送信されてくる信号をデコードしてＬＩＮＫチップ４６に出力する。また、ＬＩＮＫチップ４６から入力した信号をエンコードして、ポート４４を介してＩＥＥＥ１３９４ケーブル１４０に出力する。ＬＩＮＫチップ４６は、ＰＨＹチップ４５から入力した信号を抽出して制御回路４１へ出力するとともに、制御回路４１から入力した信号をバケット化してＰＨＹチップ４５へ出力する。
【００２０】
端末側起動処理チップ４７は、ＩＥＥＥ１３９４ケーブル１４０から入力される信号によりＩＥＥＥ１３９４システム機器４０の起動を制御する。電源制御部４８は、メイン電源４１０とサブ電源４１１とに接続されている。メイン電源４１０は、ＩＥＥＥ１３９４システム機器４０が稼働しているときに制御回路４１などに電力を供給するものである。サブ電源４１１は、ＩＥＥＥ１３９４システム機器４０が停止しているときに起動処理チップ４７にのみ電力を供給するものであり、起動待機状態のＩＥＥＥ１３９４システム機器４０で必要最小限の電力を供給する。電源制御部４８は、ＩＥＥＥ１３９４システム機器４０に供給される電力の供給元をメイン電源４１０とサブ電源４１１との間で切り換える。また、電源制御部４８は、現在の電力の供給元がメイン電源４１０であるかサブ電源４１１であるかの情報を起動処理チップ４７へ出力する。
【００２１】
ＩＥＥＥ１３９４システム機器４０のフロントエンド部４９の詳細な構成を図５に示す。ポート４４は、３つのポート４４ａ〜４４ｃで構成され、それぞれのポート４４ａ〜４４ｃは、ＴＰＡ＋、ＴＰＡ−、ＴＰＢ＋およびＴＰＢ−の４ピンから構成される。各ポートの４つのピンＴＰＡ＋およびＴＰＡ−、またはＴＰＢ＋およびＴＰＢ−は、それぞれライン５１ａ〜５１ｆによってＰＨＹチップ４５および起動処理チップ４７と接続している。なお、各ライン５１ａ〜５１ｆは、図５では１本のラインで示しているが、実際は、５１ａ、５１ｃおよび５１ｅは、ＴＰＡ＋、ＴＰＡ−の２つの信号線を有しており、５１ｂ、５１ｄおよび５１ｆは、ＴＰＢ＋、ＴＰＢ−の２つの信号線を有している。
【００２２】
端末側起動処理チップ４７の詳細な構成を図６に示す。端末側起動処理チップ４７は、端末側起動処理チップ制御部４７１と、端末側切換えスイッチ４７２ａ〜４７２ｆを有するスイッチ群４７２とから構成される。端末側起動処理チップ制御部４７１は、端末側起動処理チップ４７の動作を制御する。端末側切換えスイッチ４７２ａ〜４７２ｆは、ライン５１ａ〜５１ｆと端末側起動処理チップ制御部４７１との間の接続状態を切り換えるスイッチである。
【００２３】
端末側切換えスイッチ４７２ａ〜４７２ｆの切換え動作を、切換えスイッチ４７２ｆを一例として説明する。ＩＥＥＥ１３９４システム機器４０がサブ電源４１１から電力の供給を受けているときは、端末側切換えスイッチ４７２ｆは実線４７３の閉位置に切り換えられている。このため、端末側起動処理チップ制御部４７１とライン５１ｆとは接続される。一方、ＩＥＥＥ１３９４システム機器４０がメイン電源４１０より電力の供給を受けているときは、端末側切換えスイッチ４７２ｆは破線４７４の開位置に切り換えられ、端末側起動処理チップ制御部４７１とライン５１ｆとが切断される。端末側切換えスイッチ４７２ａ〜４７２ｅも同様に開閉する。
【００２４】
上記のように端末側切換えスイッチ４７２ａ〜４７２ｆが動作するので、ＩＥＥＥ１３９４システム機器４０がサブ電源４１１から電力供給を受けているときは、ポート４４に入力される信号は端末側起動処理チップ４７によって受信され、メイン電源４１０より電力供給を受けているときは、ＰＨＹチップ４５によって受信される。ＩＥＥＥ１３９４システム機器４０がサブ電源４１１から電力の供給を受けているとき、ＰＨＹチップ４５もポート４４と接続しているが、ＰＨＹチップ４５には電力が供給されないため、起動指令信号が入力されてもＰＨＹチップ４５は認識することはできない。
【００２５】
本発明の実施形態による電子機器の起動システムにおけるナビゲーション装置１は、停止しているＩＥＥＥ１３９４システム機器４０に対し、起動指令信号を出力することによってＩＥＥＥ１３９４システム機器４０を起動する。
【００２６】
次に、図１および図４を参照して停止しているＩＥＥＥ１３９４システム機器をナビゲーション装置１により起動する手順を説明する。
【００２７】
ナビゲーション装置１は、図１に示すようにメイン電源４１０と接続しており、エンジンのイグニッションスイッチがオンになると自動的に起動する。一方、ＩＥＥＥ１３９４システム機器４０は、図４に示すようにメイン電源４１０およびサブ電源４１１と接続している。そして、起動しているときはメイン電源４１０より電力供給を受け、停止中はサブ電源４１１より電力供給を受ける。ここで、ＩＥＥＥ１３９４システム機器４０は停止中であり、サブ電源４１１より電力供給を受けているものとする。
【００２８】
ナビゲーション装置１から、起動指令信号がＩＥＥＥ１３９４システム機器４０に出力されると、起動指令信号を受信したＩＥＥＥ１３９４システム機器４０は、電力供給を受けている電源をサブ電源４１１からメイン電源４１０へ切り換える。これにより、電力がＩＥＥＥ１３９４システム機器４０の制御回路４１に供給され、ＩＥＥＥ１３９４システム機器４０が起動する。
【００２９】
図７を参照して、ナビゲーション装置１からＩＥＥＥ１３９４機器４０へ出力される起動指令信号について説明する。
【００３０】
ナビゲーション装置１から出力される起動指令信号は起動側起動処理チップ１８３から出力され、ＩＥＥＥ１３９４システム機器４０の端末側起動処理チップ４７に入力される。起動指令信号は、起動を指令するデータ信号と、データ信号と同期するためのクロック信号から構成される。データ信号は、ＴＰＡ＋から出力される信号およびＴＰＡ−から出力される信号による差動信号として出力され、クロック信号は、ＴＰＢ＋から出力される信号およびＴＰＢ−から出力される信号の差動信号として出力される。そして、出力されたデータ信号は、端末側起動処理チップ４７のＴＰＢ＋およびＴＰＢ−に入力され、クロック信号は、ＴＰＡ＋およびＴＰＡ−に入力される。
【００３１】
端末側起動処理チップ４７に起動指令信号が入力されると、端末側起動処理チップ４７は、電源制御部４８に対して、ＩＥＥＥ１３９４システム機器４０に供給される電力の供給元をサブ電源４１１からメイン電源４１０へ切り換える指令信号を出力する。そして、端末側起動処理チップ４７内の端末側切換えスイッチ４７２ａ〜４７２ｆを開位置４７４に切換え、ＰＨＹチップ４５のみがライン５１ａ〜５１ｆと接続するようにする。その結果、ＩＥＥＥ１３９４システム機器４０に供給される電源がサブ電源４１１からメイン電源４１０に切り換わり、制御回路４１にも電力が供給される。そして、ＩＥＥＥ１３９４システム機器４０は起動する。
【００３２】
ナビゲーション装置１の制御回路１１における起動指令処理を図８のフローチャートを参照して説明する。図８の処理は、ナビゲーション装置１に接続されているＩＥＥＥ１３９４システム機器４０に何らかの動作を開始させるときにスタートするプログラムを制御回路１１で実行して行われる。たとえば、ナビゲーション装置１に、ＩＥＥＥ１３９４インターフェースを介して音楽を演奏するＣＤプレーヤーが接続されている場合、ナビゲーション装置１のＣＤ再生ボタン（不図示）を操作したときに上記プログラムが実行される。
【００３３】
ステップＳ８０１では、ＰＨＹチップ１８２のＴＰＡ＋、ＴＰＡ−のラインを用いてＩＥＥＥ１３９４システム機器４０に対して、起動確認信号を出力する。ここで、起動確認信号とは、ＩＥＥＥ１３９４システム機器４０が起動していることを確認するための信号である。ＩＥＥＥ１３９４システム機器４０が起動しているときは、起動確認信号はＩＥＥＥ１３９４システム機器４０のＰＨＹチップ４５に入力され、ＰＨＹチップ４５は、ＴＰＡ＋、ＴＰＡ−のラインを用いて応答信号を出力する。この応答信号は、ナビゲーション装置１のＰＨＹチップ１８２で受信される。一方、ＩＥＥＥ１３９４機器４０が起動していないときは、起動確認信号は端末側起動処理チップ４７に入力されるが、起動確認信号が入力されても端末側起動処理チップ４７は応答信号を出力しないように構成されている。このため、ＩＥＥＥ１３９４システム機器４０から応答信号を受信したか否かによって、ナビゲーション装置１は、ＩＥＥＥ１３９４システム機器４０が起動しているか否かを知ることができる。
【００３４】
ステップＳ８０２では、応答信号が入力されたか判定を行う。応答信号が入力された場合は、ステップＳ８０２は肯定判定され、すでにＩＥＥＥ１３９４システム機器４０は起動しているので、起動指令処理は終了する。応答信号が入力されない場合は、ステップＳ８０２は否定判定され、ステップＳ８０３へ進む。ステップＳ８０３では、起動側切換えスイッチ１８３２ａ〜１８３２ｆを閉じて、起動側起動処理チップ制御部１８３１とライン２１ａ〜２１ｆとを接続する。ステップＳ８０４では、起動側起動処理チップ１８３より起動指令信号を出力する。ステップＳ８０５では、起動側切換えスイッチ１８３２ａ〜１８３２ｆを開放して、起動側起動処理チップ制御部１８３１とライン２１ａ〜２１ｆとを切断する。そして、ステップＳ８０１へ戻る。
【００３５】
次にＩＥＥＥ１３９４システム機器４０の端末側起動処理チップ４７における起動処理を図９のフローチャートを参照して説明する。図９の処理は、起動指令信号を受信したときにスタートするプログラムを端末側起動処理チップ４７で実行して行われる。
【００３６】
ステップＳ９０１では、ナビゲーション装置１から出力された起動指令信号が受信されたか判定を行う。起動指令信号が受信された場合は、ステップＳ９０１は肯定判定され、ステップＳ９０２へ進む。起動指令信号が受信されない場合は、ステップＳ９０１を繰り返す。ステップＳ９０２では、端末側起動処理チップ４７は、電源制御部４８に対して、ＩＥＥＥ１３９４システム機器４０に供給される電源をサブ電源４１１からメイン電源４１０へ切り換えることを指令する指令信号を出力する。
【００３７】
ステップＳ９０３では、電源制御部４８からの信号によりＩＥＥＥ１３９４システム機器４０に供給される電源がサブ電源４１１からメイン電源４１０に切り換ったか判定する。サブ電源４１１からメイン電源４１０に切り換った場合は、ステップＳ９０３は肯定判定され、ステップＳ９０４へ進む。まだ切り換わっていない場合は、Ｓ９０３は否定判定され、ステップＳ９０３の判定を繰り返す。ステップＳ９０４では、端末側起動処理チップ４７に設けられた端末側切換えスイッチ４７２ａ〜４７２ｆを開放することによって、端末側起動処理チップ制御部４７１とライン５１ａ〜５１ｆとを切断する。そして、起動処理を終了する。
【００３８】
以上説明した本発明の実施の形態による電子機器の起動システムは次のような作用効果を奏する。
（１）ＩＥＥＥ１３９４システム機器４０の停止中は、電力は端末側起動処理チップ４７にのみ供給される。このため、ＩＥＥＥ１３９４システム機器４０の停止中の待機電力を低減することができる。
（２）ＩＥＥＥ１３９４システム機器４０の起動処理には、ＴＰＡ＋、ＴＰＡ−、ＴＰＢ＋、ＴＰＢ−の信号線を使用するため、電力ラインを持たない４ピンのＩＥＥＥ１３９４ケーブルを介してＩＥＥＥ１３９４システム機器４０を起動させることができる。
（３）ＰＨＹチップ４５が稼働しているときは、端子側切換えスイッチ４７２ａ〜４７２ｆを開放して、ＰＨＹチップ４５と端末側起動処理チップ制御部４７１とを切断するようにしたので、ＰＨＹチップ４５と端末側起動処理チップ制御部４７１の誤動作を防ぐことができる。
（４）ＩＥＥＥ１３９４システム機器４０へ送信される起動指令信号は差動信号であるので、耐ノイズ性に優れ、起動する必要のないＩＥＥＥ１３９４システム機器４０がノイズで起動することを防止することができる。
【００３９】
以上の実施形態では、ＩＥＥＥ１３９４システム機器４０を起動させる装置はナビゲーション装置１であったが、起動指令信号をＩＥＥＥ１３９４ケーブルの信号ラインを介してＩＥＥＥ１３９４システム機器４０に送信できる電子機器であれば、本発明はナビゲーション装置１に限定されない。たとえば、パーソナルコンピュータなどでもよい。
【００４０】
以上の実施形態では、起動指令信号は、データ信号とクロック信号で構成されたが、データ信号とストローブ信号で構成してもよい。
【００４１】
特許請求の範囲の要素と実施の形態との対応関係を説明する。
本発明の第１の電子機器はナビゲーション装置１に対応し、第２の電子機器はＩＥＥＥ１３９４システム機器４０に対応する。起動装置は端末側起動処理チップ４７に対応し、制御装置は制御回路４１に対応する。電源制御装置は電源制御部４８に対応し、ＰＨＹデバイスはＰＨＹチップ４５に対応する。なお、以上の説明はあくまで一例であり、発明を解釈する上で、上記の実施形態の構成要素と本発明の対応関係になんら限定されるものではない。
【図面の簡単な説明】
【００４２】
【図１】本発明のナビゲーション装置の構成を示すブロック図である。
【図２】ナビゲーション装置のＩＥＥＥ１３９４インターフェースを説明するための図である。
【図３】起動側起動処理チップを説明するための図である。
【図４】本発明のＩＥＥＥ１３９４システム機器の構成を説明するための図である。
【図５】フロントエンド部の詳細な構成を説明するための図である。
【図６】端末側起動処理チップを説明するための図である。
【図７】起動指令信号を説明するための図である。
【図８】ナビゲーション装置の起動指令処理を説明するためのフローチャートである。
【図９】ＩＥＥＥ１３９４システム機器の起動処理を説明するためのフローチャートである。
【符号の説明】
【００４３】
１  ナビゲーション装置
１１  制御回路
１４０  ＩＥＥＥ１３９４ケーブル
１８  ＩＥＥＥ１３９４インターフェース
１８１，４６  ＬＩＮＫチップ
１８２，４５  ＰＨＹチップ
１８３  起動側起動処理チップ
１８３１  起動側起動処理チップ制御部
１８３２ａ〜１８３２ｆ  起動側切換えスイッチ
１８４，４４  ポート
４０  ＩＥＥＥ１３９４システム機器
４７  端末側起動処理チップ
４７１  端末側起動処理チップ制御部
４７２ａ〜４７２ｅ  端末側切換えスイッチ
４８  電源制御部
４１０  メイン電源
４１１  サブ電源
【図１】
2006201852.tif 000003
【図２】
2006201852.tif 000004
【図３】
2006201852.tif 000005
【図４】
2006201852.tif 000006
【図５】
2006201852.tif 000007
【図６】
2006201852.tif 000008
【図７】
2006201852.tif 000009
【図８】
2006201852.tif 000010
【図９】
2006201852.tif 000011